(57)【要約】【課題】本発明の課題は、バッテリーの無駄な消費をなくし長時間動作を可能にする光ディスク装置を提供することである。【解決手段】上記課題は、光ディスクを再生または記録・再生する光ディスク装置において、スタンバイ時に、前記光ディスク上に記録された情報を取り出す光ピックアップと、この光ピックアップの出力からＲＦ信号を形成するＲＦアンプに印加される電源のＯＮ／ＯＦＦを制御する電源制御手段を有することを特徴とする光ディスク装置にて解決される。【選択図】　図１
2004022110.tif 000002
【特許請求の範囲】
【請求項１】
光ディスクを再生または記録・再生する光ディスク装置において、
スタンバイ時に、前記光ディスク上に記録された情報を取り出す光ピックアップと、この光ピックアップの出力からＲＦ信号を形成するＲＦアンプに印加される電源のＯＮ／ＯＦＦを制御する電源制御手段を有することを特徴とする光ディスク装置。
【請求項２】
請求項１記載の光ディスク装置において、
前記電源制御手段は、前記電源のＯＮ／ＯＦＦ制御素子としてトランジスタ又はＦＥＴ半導体素子を使用することを特徴とする光ディスク装置。
【請求項３】
請求項２記載の光ディスク装置において、
前記トランジスタ又はＦＥＴ半導体素子は制御手段と接続され、その制御手段により与えられる制御信号に基づいて前記電源のＯＮ／ＯＦＦを制御することを特徴とする光ディスク装置。
【請求項４】
請求項３記載の光ディスク装置において、
前記制御手段は、前記光ディスクに対する情報の読み出し又は書き込み動作の停止時に、前記電源をＯＦＦさせる信号を前記制御信号として送出することを特徴とする光ディスク装置。
【発明の詳細な説明】
【０００１】
【発明の属する技術分野】
本発明は、光ディスクを再生または記録・再生する光ディスク装置に関する。
【従来の技術】
ノートパソコンに内蔵される光ディスクドライブ装置として、薄型のＣＤ−ＲＯＭドライブ装置（以下、光ディスク装置と略記）がある。この光ディスク装置は、一般のディスクトップ用のＣＤ−ＲＯＭドライブ装置と比較して、薄型化、軽量化が図られている。また、ノートパソコンはモバイル環境で使用されるケースが多いため、よりバッテリーの長寿命化が望まれる。このような観点から、通常の光ディスク装置では、スタンバイ時（電源のみ印加された状態）の消費電流を極力抑えた低消費電力化設計となっている。
【０００２】
【発明が解決しようとする課題】
上記のようにノートパソコン等に搭載される光ディスク装置のスタンバイ時の省電力化は、製品の性能を判断する上で重要なファクターとなってきている。図３は、従来の光ディスク装置の概略構成を示すブロック図である。同図において、この光ディスク装置は、１１は光ディスク（以下、ディスクと略記）、１２は光ピックアップ、１３はスピンドルモータ、１４はＲＦアンプＩＣ、１５はサーボ処理部、１６は制御部、１７はドライブを備えている。このような従来の光ディスク装置において、ディスク１１が装着され、そのディスクに対する情報の読み出しが行われていない場合、スタンバイ時であっても、そのディスク上に記憶された情報をどこまで読んでいたのかを示す情報を保持しておく必要があるため、や制御部１６の電源はＯＦＦにせずにＯＮの状態（微弱電流が流れる）になっている。すなわち、スタンバイ機能を持つＩＣ（例：ドライバＩＣ）に関しては、必要な情報を保持させるに必要な電流のみ流れるようになっている。ところが、スタンバイ時に上記制御部１６に印加される電源電圧は、スタンバイ機能を持たないＩＣ、例えば、ＲＦアンプＩＣや光ピックアップ等にも印加されてしまう。このため、上記ＲＦアンプＩＣや上記光ピックアップ等がスタンバイ時で非動作状態にあるにもかかわらず数１０ｍＡの電流が流れてしまい、スタンバイ時の消費電流を最低限の水準に抑えることができないという問題があった。
【０００３】
本発明は、上記のような問題点に鑑みてなされたもので、その課題とするところは、バッテリーの無駄な消費をなくし長時間動作を可能にする光ディスク装置を提供することである。
【課題を解決するための手段】
上記課題を解決するため、本発明は、請求項１に記載されるように、光ディスクを再生または記録・再生する光ディスク装置において、スタンバイ時に、前記光ディスク上に記録された情報を取り出す光ピックアップと、この光ピックアップの出力からＲＦ信号を形成するＲＦアンプに印加される電源のＯＮ／ＯＦＦを制御する電源制御手段を有することを特徴としている。
【０００４】
本発明の請求項２は、前記光ディスク装置において、前記電源制御手段は、前記電源のＯＮ／ＯＦＦ制御素子としてトランジスタ又はＦＥＴ半導体素子を使用することを特徴としている。
【０００５】
本発明の請求項３は、前記光ディスク装置において、前記トランジスタ又はＦＥＴ半導体素子は制御手段と接続され、その制御手段により与えられる制御信号に基づいて前記電源のＯＮ／ＯＦＦを制御することを特徴としている。
【０００６】
本発明の請求項４は、前記光ディスク装置において、前記制御手段は、前記光ディスクに対する情報の読み出し又は書き込み動作の停止時に、前記電源をＯＦＦさせる信号を前記制御信号として送出することを特徴としている。
【０００７】
本発明の構成によれば、スタンバイ時に動作を停止している光ピックアップ、ＲＦアンプＩＣの電源をＯＮ／ＯＦＦ制御するので、スタンバイ時に印加されるＲＦアンプＩＣ、光ピックアップの電源をＯＦＦにすることができる。その結果、これらの系のスタンバイ時の消費電流を低減でき電池の消費を最小限に抑えることが可能となる。
【０００８】
【発明の実施の形態】
以下、本発明の実施の形態を図面に基づいて説明する。
【０００９】
図１は、本発明の実施の一形態に係る光ディスク装置は、例えば、図１に示すように構成される。図１において、本発明の光ディスク装置は、例えば、ＣＤ−ＲＯＭドライブ装置であって、ディスク１１、光ピックアップ１２、スピンドルモータ１３、ＲＦアンプＩＣ１４、サーボ処理部１５、制御部１６を備えている。本実施形態では、ＲＦアンプＩＣ１４、光ピックアップ１２への電源ＯＮ／ＯＦＦ制御が制御部１６より出力される電源ＯＮ／ＯＦＦ指令によって行われる。例えば、制御部１６が、ディスク１１に対する読み出しあるいは書き込み動作を停止しているときには、ＲＦアンプＩＣ１４、光ピックアップ１２は動作を停止してもかまわないので、電源ＯＦＦ指令が当該制御部１６からＲＦアンプＩＣ１４、光ピックアップ１２への供給電源に対して送られる。具体的には、制御部１６からの電源ＯＮ／ＯＦＦ指令に基づいて電源をスイッチングするＦＥＴ素子が所定の電源の根元に接続（図２の符号２０）され、このＦＥＴ２０のスイッチング機能を用いて電源のＯＮ／ＯＦＦ制御が行われる。
【００１０】
次に、具体的な実施例について説明する。図２は、スタンバイ時に、ＲＦアンプＩＣの電源ＯＦＦにさせる動作を説明するための図である。同図において、光ピックアップ１２本体（図１参照）は、光源のレーザダイオード（図示省略）、分割ホトダイオード３１〜３６（受光素子）等を有している。分割ホトダイオードは、６つの受光部３１〜３６、すなわち、光ディスク７で反射した主レーザ光を受光する受光部３２〜３５と、光ディスク７で反射した一方の副レーザ光を受光する受光部３１と、光ディスクで反射した他方の副レーザ光を受光する受光部３６とを有している。この分割ホトダイオードの各受光部３１〜３６からは、それぞれ、受光量に応じた電流（電圧）が出力され、これらの電流、すなわち、各信号（検出信号）ａ〜ｆは、それぞれ、ＲＦアンプＩＣ１４に入力される。ＲＦアンプＩＣ１４は、これらの信号ａ〜ｆに基づいて、ＲＦ信号、フォーカスエラー信号（ＦＥ）およびトラッキングエラー信号（ＴＥ）をそれぞれ生成する。
【００１１】
スタンバイ時、制御部１６は、ディスク１１に対する読み出しあるいは書き込み動作の状態に応じて、ＲＦアンプＩＣ１４の電源をＯＮあるいはＯＦＦさせる指令をＦＥＴ２０に出力する。例えば、ディスク１１に対する読み出しあるいは書き込み動作が停止した場合、制御部１６は、ＲＦアンプＩＣ１４の電源をＯＦＦさせる指令をＦＥＴ２０に出力する。この場合、ＦＥＴ２０に印加される信号、例えばパルス信号は、ローレベルのパルスが印加され、ＦＥＴ２０がＯＦＦ状態となって、ＲＦアンプＩＣへの電源が遮断される。
【００１２】
一方、ディスク１１に対する読み出しあるいは書き込み動作が行われているときは、制御部１６は、ＲＦアンプＩＣ１４の電源をＯＮにさせる指令をＦＥＴ２０に出力する。この場合、ＦＥＴ２０に印加されるパルス信号は、ハイレベルのパルスが印加され、ＦＥＴ２０はＯＮになる。これにより、電源スイッチ４０がＯＮ状態となって、ＲＦアンプＩＣ１４に電源が供給される。
【００１３】
このように本実施形態では、スタンバイ時に動作を停止しているＲＦアンプＩＣ１４の電源を、制御部からの指示に基づいて、スイッチング機能を持つＦＥＴがＯＦＦ制御するので、スタンバイ時に印加されるＲＦアンプＩＣ１４の電源をＯＦＦにすることができる。その結果、スタンバイ時におけるＲＦアンプＩＣ１４の消費電流を低減でき電池の消費を最小限に抑えることが可能となる。
【００１４】
なお、上記ＲＦアンプＩＣ１４では、フォーカスエラー信号（ＦＥ）およびトラッキングエラー信号（ＴＥ）の生成にアナログＩＣ（オペアンプ）が用いられる。このため、上記のようなアナログＩＣに供給する電源のＯＮ／ＯＦＦ制御も本実施形態で示した方法を適用することができる。また、上記実施形態では、一例として、スタンバイ時のＲＦアンプＩＣ１４の電源ＯＮ／ＯＦＦ制御について説明したが、光ピックアップの電源ＯＮ／ＯＦＦ制御も本実施形態で示した方法を適用することができる。したがって、本発明によれば、非動作状態にある上記ＲＦアンプＩＣ、光ピックアップのスタンバイ時の電流を最小限に抑えることができ、バッテリーの長寿命化が図れる効果を有する。
【００１５】
上記例において、制御部１６及びＦＥＴ２０のスイッチング制御機能が電源制御手段に、制御部の制御機能が制御手段に対応する。
【００１６】
【発明の効果】
以上、説明したように、本願発明によれば、スタンバイ時に動作を停止しているＲＦアンプＩＣ、光ピックアップの電源を、制御部からの指示に基づいて、スイッチング機能を持つＦＥＴがＯＦＦ制御するので、スタンバイ時に印加されるＲＦアンプＩＣ、光ピックアップの電源をＯＦＦにすることができる。その結果、これらの系の、スタンバイ時の消費電流を低減でき電池の消費を最小限に抑えることが可能となる。
【図面の簡単な説明】
【図１】本発明に係る光ディスク装置の概略構成図である。
【図２】図１に示すＲＦアンプＩＣの電源ＯＮ／ＯＦＦ制御の実施例の構成を示す図である。
【図３】従来の光ディスク装置の概略構成図である。
【符号の説明】
１１　ディスク
１２　光ピックアップ
１３　スピンドルモータ
１４　ＲＦアンプＩＣ
１５　サーボ処理部
１６　制御部
２０　ＦＥＴ
３１〜３６　受光部
【図１】
2004022110.tif 000003
【図２】
2004022110.tif 000004
【図３】
2004022110.tif 000005